(57)【特許請求の範囲】
【請求項１】
巻尺のベルトフックを挿入して台紙の裏面側に導出できる孔部が形成された台紙と、前記裏面側に導出された前記ベルトフックに係合するベルトフック係合部材を有し、該ベルトフック係合部材は、ベルトフック挿入口を通して前記ベルトフックと前記台紙の裏面との間に挿入される挿入部と、該挿入部が挿入された状態において、前記ベルトフックの孔に係止される被係止部を有することを特徴とする巻尺の陳列用容器。
【請求項２】
前記被係止部の近傍が弾性変形可能であることを特徴とする請求項１に記載の巻尺の陳列用容器。
【請求項３】
前記ベルトフック挿入口がベルトフック挿入孔として構成されていることを特徴とする請求項１または２に記載の巻尺の陳列用容器。
【請求項４】
前記ベルトフックを囲む側壁が前記ベルトフック係合部材に設けられていることを特徴とする請求項１ないし３のいずれか１項に記載の巻尺の陳列用容器。
【請求項５】
縁部が折り曲げられて前記台紙の周縁に結合し、かつ、巻尺を収納可能な凹部が形成された透明部材を有することを特徴とする請求項１ないし４のいずれか１項に記載の巻尺の陳列用容器。
【請求項６】
請求項１ないし５のいずれか１項に記載の巻尺の陳列用容器に収納されたことを特徴とする巻尺。
【発明の詳細な説明】
【０００１】
【発明の属する技術分野】
本発明は、巻尺の陳列用容器、特に、盗難されにくいような包装形態の陳列用容器、ならびに、該陳列用容器に収納された巻尺に関するものである。
【０００２】
【従来の技術】
コンベックススケールと呼ばれる巻尺の小売店等での販売のための包装形態は、中味の見えない箱包装から、中味の見えるフィルムパック包装へと変わりつつある。フィルムパック包装は、台紙と、縁部が折り曲げられて台紙の周縁に結合し、かつ、巻尺を収納可能な凹部が形成された透明部材とからなる包装容器を用いて、巻尺を包装し、吊り下げて陳列できるものである。フィルムパック包装された巻尺の販売は、大型スーパーやＤＩＹショップでの扱い量が年々増加している。大型スーパーやＤＩＹショップでは、陳列場所が、レジとは離れた別の場所であり、それにつれて店内での盗難の被害も増加しつつある。
【０００３】
盗難の手口は、フィルムパック包装の透明部材の部分を台紙より外して、中味の品物である巻尺だけを抜き取り、透明部材と台紙はそのまま店内に吊り下げて置き、抜き取った巻尺は、あたかも外から携帯してきたかのように振る舞うので、盗品か否かの区別はつけにくいという問題がある。
【０００４】
特に、簡易な陳列用容器では、フィルムパックを用いずに台紙のみに取り付けた形態で、陳列する形態もある。本発明では、このように台紙のみを用いて巻尺を陳列する形態における台紙も陳列用容器と呼んでいる。フィルムパックを用いない形態のものでは、巻尺を簡単に台紙から外すことができるので、盗難のおそれが大きい。
【０００５】
このような、盗難に対し、業者はミラーや監視員の増員にて対抗してきたが、コストがかかるとともに、数多くの品数に対して充分の注意を行き届かせることができないというのが現状である。
【０００６】
このような事情から、盗難防止の包装形態が要求されている。透明部材の部分と台紙とを外れにくくするために、両者を結合するステープラーの数を増やすことが考えられるが、ステープラーも透明部材の部分を完全に台紙に固着させる効果が悪く、また、環境問題に対する分別廃棄が困難になるという問題もある。
【０００７】
【発明が解決しようとする課題】
本発明は、上述した事情に鑑みてなされたもので、従来の包装形態に１個の小部品を追加することにより、巻尺の抜き取りが簡単にできない陳列用容器、さらには、金属製のベルトフックが他の製品に当たらないようにして、傷つき防止用のパーツを用いることなく、他の製品に傷をつけることを防止できる陳列用容器、ならびに、該陳列用容器に収納された巻尺を提供することを目的とするものである。
【０００８】
【課題を解決するための手段】
請求項１に記載の発明は、巻尺の陳列用容器において、巻尺のベルトフックを挿入して台紙の裏面側に導出できる孔部が形成された台紙と、前記裏面側に導出された前記ベルトフックに係合するベルトフック係合部材を有し、該ベルトフック係合部材は、ベルトフック挿入口を通して前記ベルトフックと前記台紙の裏面との間に挿入される挿入部と、該挿入部が挿入された状態において、前記ベルトフックの孔に係止される被係止部を有することを特徴とするものである。
【０００９】
請求項２に記載の発明は、請求項１に記載の巻尺の陳列用容器において、前記被係止部の近傍が弾性変形可能であることを特徴とするものである。
【００１０】
請求項３に記載の発明は、請求項１または２に記載の巻尺の陳列用容器において、前記ベルトフック挿入口がベルトフック挿入孔として構成されていることを特徴とするものである。
【００１１】
請求項４に記載の発明は、請求項１ないし３のいずれか１項に記載の巻尺の陳列用容器において、前記ベルトフックを囲む側壁が前記ベルトフック係合部材に設けられていることを特徴とするものである。
【００１２】
請求項５に記載の発明は、請求項１ないし４のいずれか１項に記載の巻尺の陳列用容器において、縁部が折り曲げられて前記台紙の周縁に結合し、かつ、巻尺を収納可能な凹部が形成された透明部材を有することを特徴とするものである。
【００１３】
請求項６に記載の発明は、巻尺において、請求項１ないし５のいずれか１項に記載の巻尺の陳列用容器に収納されたことを特徴とするものである。
【００１４】
【発明の実施の形態】
図１は、本発明の陳列用容器に用いられるベルトフック係合部材の第１の実施の形態を説明するための図で、図１（Ａ）は斜視図、図１（Ｂ）は平面図、図１（Ｃ），図１（Ｄ）は図１（Ｂ）のＣ−Ｃ線断面図，Ｄ−Ｄ線断面図である。図中、１はベルトフック係合部材、１ａは挿入部、１ｂはベルトフック挿入孔、１ｃは被係止部、１ｄは傾斜部、１ｅは側壁部である。
【００１５】
ベルトフック係合部材１は、全体を合成樹脂、例えば、塩化ビニール、ポリエチレンテレフタレート（ＰＥＴ）、ポリプロピレンなどで一体成形されている。透明であってもよい。ベルトフック係合部材１の厚さは適当でよいが、ベルトフック挿入口として設けたベルトフック挿入孔１ｂに図示しないベルトフックの先端を挿入して、挿入部１ａを紙等よりなる台紙とベルトフックとの隙間に押し込む際に、弾性変形が可能な厚さとするのがよい。この厚さは、例えば、ポリエチレンテレフタレートを用いた場合で、０．２〜１．０ｍｍ、試作例では、０．４ｍｍ程度とした。被係止部１ｃは、ベルトフック係合部材１の挿入方向に向けて下降するような傾斜部１ｄが形成され、ベルトフックの孔に係止された場合に、容易に抜けない程度の高さに設計されている。また、側壁部１ｅの高さは、ベルトフック係合部材１を取り付けた状態において、ベルトフックの高さより高くなる値に設計するのがよい。側壁部１ｅを形成することにより、ベルトフック係合部材１の強度も向上できる。
【００１６】
図２は、第１の実施の形態のベルトフック係合部材を用いて巻尺の陳列用容器を組み立てる手順の一例の説明図である。図中、図１と同様の部分には同じ符号を付して説明を省略する。２は透明部材、２ａは凹部、２ｂは折り曲げ縁部、２ｃは吊り下げ孔、３は巻尺、３ａはベルトフック、３ｂは孔、４は台紙、４ａは台紙孔、４ｂは吊り下げ孔である。
【００１７】
図２（Ａ）に示すように、透明部材２の凹部２ａに巻尺３を挿入する。次に、図２（Ｂ）に示すように、台紙４を透明部材２の折り曲げ縁部２ｂに挟まれるように挿入する。挿入工程の途中において、ベルトフック３を台紙孔４ａから台紙４の裏面側に導出させ、図２（Ｃ）に示すように、台紙４が取り付けられる。透明部材の吊り下げ孔２ｃと台紙４の吊り下げ孔４ｂは合致する。ここまでの組立工程は、従来の陳列用容器と同様である。本発明では、ベルトフック係合部材１が図２（Ｃ）に示すように、取り付けられる。すなわち、図１で説明したベルトフック挿入孔１ｂにベルトフック３ｂの先端を挿入するようにして、ベルトフック係合部材１を台紙４とベルトフック３ａとの間に押し込む。ベルトフック３ａがベルトフック係合部材１の被係止部１ｃにより押し上げられ、それに応じてベルトフック係合部材１が変形しながら、ベルトフック係合部材１が押し込まれる。ベルトフック係合部材１の被係止部１ｃに傾斜部が設けられていることにより、ベルトフック係合部材１の押し込みは容易である。被係止部１ｃがベルトフック３ａの孔３ｂに嵌合すると、押し上げられたベルトフック３ｂは、弾力でもとに戻り、ベルトフック係合部材１の変形ももとに戻り、ベルトフック係合部材１が所定の位置に取り付けられる。この状態を図２（Ｄ）に示す。
【００１８】
図３は、図２（Ｃ）におけるベルトフック係合部材１の挿入プロセスを説明するための断面図である。図中、図１，図２と同様の部分には同じ符号を付して説明を省略する。５は固定ネジである。
【００１９】
図３（Ａ）は、ベルトフック係合部材１を挿入する前の状態である。
【００２０】
図３（Ｂ）は、ベルトフック係合部材１の挿入を開始した状態を示す。ベルトフック係合部材１のベルトフック挿入孔にベルトフック３ａの先端が挿入される。なお、ベルトフック３ａは、固定ネジ５により巻尺３のケースに固定されているが、この例では、ケースが、分割された２つのケースにより構成され、固定ネジ５が２つのケースを一体的に固定する役目も果たしている。
【００２１】
図３（Ｃ）は、ベルトフック係合部材１をさらに押し込んだ状態である。被係止部１ｃによりベルトフック３ａが押し上げられるとともに、被係止部１ｃを取り付けている挿入部１ａは、ベルトフック係合部材１の弾性により曲げられて、ベルトフック３ａに対してさらにベルトフック係合部材１が押し込まれることを許容する。
【００２２】
図３（Ｄ）は、ベルトフック係合部材１が取り付けられた状態である。被係止部１ｃがベルトフック３ａの孔に係止されている。ベルトフック係合部材１が係止された状態で、ベルトフック係合部材１を台紙４に接着剤等を用いて接着してもよい。
【００２３】
図２（Ｄ）および図３（Ｄ）に示すように、ベルトフック係合部材１が取り付けられた状態では、ベルトフック係合部材１が台紙孔４ａより大きいことによって、巻尺３を台紙４から外すことはできない。また、ベルトフック係合部材１の被係止部１ｃがベルトフック３ａの孔３ｂに係止されていることにより、ベルトフック係合部材１を挿入方向と反対方向に引いても、ベルトフック係合部材１を外すことはできない。
【００２４】
このような係合構造であるから、ベルトフック係合部材１において、側壁１ｅはなくてもよい。しかし、側壁１ｅを設けることにより、ベルトフック３ｂが、他の巻尺を収納した陳列用容器や、あるいは、他の製品等に直接接触して傷を付けることを防止できる利点がある。
【００２５】
したがって、側壁部１ｅの形状は、必ずしも装着された状態において、ベルトフックの全周を囲むように形成する必要はなく、例えば、挿入方向に平行な両側に形成するなど、ベルトフックのエッジが他の製品等に接触しないようであればよく、全周の一部に設けてもよい。
【００２６】
図４は、第１の実施の形態のベルトフック係合部材を用いて巻尺の陳列用容器を組み立てる手順の他の一例の説明図である。図中、図１，図２と同様の部分には同じ符号を付して説明を省略する。
【００２７】
この例では、透明部材を用いない包装形態に適用した例である。図４（Ａ）に示すように、ベルトフック３を台紙孔４ａから台紙４の裏面側に導出させるようにして、巻尺３を台紙４に取り付ける。従来の陳列用容器は、このままであり、台紙４から巻尺３を外すことは簡単である。本発明では、図４（Ｂ）に示すように、ベルトフック係合部材１が取り付けられる。ベルトフック係合部材１の取り付けは、図２（Ｃ），図３で説明したと同様である。図４（Ｃ）は、ベルトフック係合部材１を取り付けた状態であり、ベルトフック係合部材１が取り付けられた状態では、ベルトフック係合部材１が台紙孔４ａより大きいことによって、巻尺３を台紙４から外すことはできない。また、ベルトフック係合部材１の被係止部１ｃがベルトフック３ａの孔３ｂに係止されていることにより、ベルトフック係合部材１を挿入方向と反対方向に引いても、ベルトフック係合部材１を外すことはできないことは、図２，図３で説明したと同様である。
【００２８】
図５は、本発明の陳列用容器に用いられるベルトフック係合部材の第２の実施の形態を説明するための図で、図５（Ａ）は斜視図、図５（Ｂ）は平面図、図５（Ｃ），図５（Ｄ）はベルトフックとの関連を示す平面図である。図中、図１，図２と同様な部分には同じ符号を付して説明を省略する。また、断面図は、図１と同様であるので図示を省略する。１ｆはＲ部、１ｇはテーパー部である。
【００２９】
この実施の形態では、第１の実施の形態のベルトフック係合部材と比較して、形状のみを変更した、すなわち、側壁部１ｅの内側の形状のみを変更したものである。側壁部１ｅの内側の形状は、図５（Ａ），（Ｂ）に示すように、挿入部１ａに形成されたベルトフック挿入孔１ｂの幅Ｍは、ベルトフック３ａの挿入をしやすくするために、ベルトフック３ａの幅Ｌより大きくしてある。したがって、ベルトフック挿入孔１ｂの近傍では、両側の側壁部１ｅの内側の間隔は、ベルトフック３ａの幅より大きい。両側の側壁部１ｅの内側の間隔は、この間隔の大きい部分からテーパー部１ｇにより間隔をせばめて、間隔Ｎとなっている。テーパー部１ｇを形成したことにより、ベルトフック３ａを挿入しやすくするために大きめに空けられたベルトフック挿入孔１ａより挿入されたベルトフック３ａを自動的にベルトフック係合部材１の中央に誘導し、ベルトフック係合部材１の傾斜部１ｂとベルトフックの孔３ｂを嵌合させることができる。間隔Ｎとなった部分の長さは長くされており、ベルトフック３ａの長さの５０％以上であり、より好ましくは、６０％以上である。両側の側壁部１ｅの内側の間隔Ｎは、ベルトフック３ａの幅Ｌと等しいか、やや大きくしてある。さらに、丸みを帯びた部分であるＲ部１ｆは、ベルトフック３ａの先端部分の形状に合わせられている。
【００３０】
このように、この実施の形態のベルトフック係合部材においては、側壁部１ｅの内側の形状がベルトフック３ａの形状に合わせられていることによって、ベルトフック係合部材１が取り付けられた状態で、ベルトフックのエッジ部とベルトフック係合部材１のＲ部１ｆとの隙間が小さくなり、指先が、ベルトフックのエッジ部にかからなくなる。これにより、エッジ部を指先で押し広げて、ベルトフックの孔３ｂとベルトフック係合部材１の被係止部１ｃとの嵌合を外し、ベルトフックよりベルトフック係合部材１を外すことを防止できる。特に、図４で説明した透明部材を用いない包装形態に有効である。
【００３１】
図６は、本発明の陳列用容器に用いられるベルトフック係合部材の第３の実施の形態を説明するための図で、図６（Ａ）は斜視図、図６（Ｂ）は縦断面である。図中、図１，図２，図５と同様な部分には同じ符号を付して説明を省略する。１ｈは蓋部材、１ｉは連結部である。
【００３２】
この実施の形態では、ベルトフック係合部材１に蓋部材１ｈを設け、連結部１ｉで連結した。ベルトフック係合部材１と蓋部材１ｈとは別体で作製してもよいが、連結部１ｉを設けて両者を一体成形により製造するのがよい。ベルトフック係合部材１に蓋部材１ｉを被せる作業が容易となる。ベルトフック係合部材１は、第２の実施の形態で説明したものと同じであるが、第１の実施の形態で説明したものと同じものでもよい。蓋部材１ｉは、ベルトフック係合部材１の側壁部１ｅの外周の嵌合するように作製されている。嵌合させた後、嵌合を外れにくくするため、きつく嵌合するように寸法を定めるのがよい。
【００３３】
図７は、第３の実施の形態のベルトフック係合部材を用いて巻尺の陳列用容器を組み立てる手順の一例の説明図である。図中、図１，図２，図６と同様の部分には同じ符号を付して説明を省略する。
【００３４】
図７（Ａ）に示すように、透明部材２の凹部２ａに巻尺３を挿入する。次に、図７（Ｂ）に示すように、台紙４を透明部材２の折り曲げ縁部２ｂに挟まれるように挿入する。挿入工程の途中において、ベルトフック３を台紙孔４ａから台紙４の裏面側に導出させ、図７（Ｃ）に示すように、台紙４が取り付けられる。透明部材の吊り下げ孔２ｃと台紙４の吊り下げ孔４ｂは合致する。ここまでの組立工程は、図２で説明したと同様である。ベルトフック係合部材１は、図７（Ｂ），（Ｃ）に示すように、蓋部材１ｉを被せる。ついで、図７（Ｃ）に示すように、ベルトフック係合部材１が取り付けられる。すなわち、ベルトフック挿入孔１ｂにベルトフック３ｂの先端を挿入するようにして、ベルトフック係合部材１を台紙４とベルトフック３ａとの間に押し込む。ベルトフック３ａがベルトフック係合部材１の被係止部１ｃにより押し上げられ、それに応じてベルトフック係合部材１が変形しながら、蓋付きのベルトフック係合部材１が押し込まれる。ベルトフック係合部材１の押し込みは図２で説明したと同じであり、図７（Ｄ）に示すように、ベルトフック係合部材１が所定の位置に取り付けられる。
【００３５】
図８は、本発明の陳列用容器に用いられるベルトフック係合部材の第４の実施の形態を説明するための斜視図である。図中、図１，図２，図５，図６と同様な部分には同じ符号を付して説明を省略する。
【００３６】
この実施の形態では、第３の実施の形態のベルトフック係合部材とは、被係止部１ｃが、蓋部材１ｈ側に形成されている点が相違するだけである。しかし、第３の実施の形態に比較して、蓋部材１ｈを外すと、ベルトフック係合部材１が外しやすくなるから、蓋部材１ｈを被せた状態で、蓋部材１ｈが外しにくいように、緊密な寸法で作製され、嵌合した蓋部材１ｈが外しにくいようにするのがよい。蓋部材１ｈをベルトフック係合部材１側に接着剤で接着するようにしてもよい。
【００３７】
図９は、第４の実施の形態のベルトフック係合部材を用いて巻尺の陳列用容器を組み立てる手順の一例の説明するための斜視図、図１０は、断面図である。図中、図１，図２，図６，図８と同様の部分には同じ符号を付して説明を省略する。
【００３８】
図９（Ａ）に示すように、透明部材２の凹部２ａに巻尺３を挿入する。次に、図９（Ｂ）に示すように、台紙４を透明部材２の折り曲げ縁部２ｂに挟まれるように挿入する。挿入工程の途中において、ベルトフック３を台紙孔４ａから台紙４の裏面側に導出させ、図９（Ｃ）に示すように、台紙４が取り付けられる。透明部材の吊り下げ孔２ｃと台紙４の吊り下げ孔４ｂは合致する。ここまでの組立工程は、図２で説明したと同様である。ベルトフック係合部材１は、図９（Ｂ），（Ｃ）に示すように、蓋部材１ｉを被せる。ついで、図９（Ｃ）に示すように、ベルトフック係合部材１が取り付けられる。図１０（Ａ）に示すように、ベルトフック挿入孔１ｂにベルトフック３ｂの先端を挿入するようにして、ベルトフック係合部材１を台紙４とベルトフック３ａとの間に押し込む。被係止部１ｃがベルトフック３ａに突き当たり、さらに挿入を続けると、図１０（Ｂ）に示すように、被係止部１ｃがベルトフック３ａにより押し上げられる。ベルトフック係合部材１の被係止部１ｃに傾斜部が設けられていることにより、ベルトフック係合部材１の押し込みは容易である。被係止部１ｃがベルトフック３ａの孔３ｂに嵌合すると、押し上げられた被係止部１ｃは、弾力でもとに戻り、ベルトフック係合部材１が所定の位置に取り付けられる。この状態を図１０（Ｃ），図９（Ｄ）に示す。
【００３９】
なお、この実施の形態のベルトフック係合部材では、ベルトフック係合部材１を取り付けた後に、蓋部材１ｈを被せるようにしてもよい。このように取り付ける場合は、被係止部１ｃの周囲に弾性を持たせる必要はない。
【００４０】
図１１は、本発明の陳列用容器に用いられるベルトフック係合部材の第５の実施の形態を巻尺の陳列用容器を組み立てる手順の一例とともに説明するための斜視図、図１２は、断面図である。図中、図１，図２と同様な部分には同じ符号を付して説明を省略する。１ｊは蓋部、１ｋはベルトフック挿入端である。
【００４１】
この実施の形態のベルトフック係合部材では、ベルトフック係合部材１に蓋部１ｊが設けられて、箱形に構成されている。ベルトフック３ａの挿入側は開口し、挿入部１ａには、上述した実施の形態で説明したようなベルトフック挿入孔は形成されておらず、ベルトフック挿入口として、蓋部１ｊの前端よりも後退した位置まで切り欠かれて、ベルトフック挿入端１ｋとなっている。ベルトフック挿入端１ｋに代えて、ベルトフック挿入孔を形成してもよい。ベルトフック挿入端１ｋの後方に設けられている被係止部１ｃは、図１で説明した被係止部と同様であり、前側には傾斜部が設けられている。
【００４２】
図１１（Ａ）に示すように、透明部材２の凹部２ａに巻尺３を挿入する。次に、図１１（Ｂ）に示すように、台紙４を透明部材２の折り曲げ縁部２ｂに挟まれるように挿入する。挿入工程の途中において、ベルトフック３を台紙孔４ａから台紙４の裏面側に導出させ、図１１（Ｃ）に示すように、台紙４が取り付けられる。透明部材の吊り下げ孔２ｃと台紙４の吊り下げ孔４ｂは合致する。ここまでの組立工程は、図２で説明したと同様である。ベルトフック係合部材１は、ベルトフック係合部材１が図１１（Ｃ）に示すように、挿入される。すなわち、図１２（Ａ）に示すように、ベルトフック挿入端１ｋをベルトフック３ｂの先端と台紙４との間に挿入するようにして、ベルトフック係合部材１の挿入部１ａを台紙４とベルトフック３ａとの間に押し込む。図１２（Ｂ）に示すように、被係止部１ｃがベルトフック３ａに突き当たり、さらに挿入を続けると、図１２（Ｃ）に示すように、ベルトフック３ａがベルトフック係合部材１の被係止部１ｃにより押し上げられる。ベルトフック係合部材１の被係止部１ｃに傾斜部が設けられていることにより、ベルトフック係合部材１の押し込みは容易である。被係止部１ｃがベルトフック３ａの孔３ｂに嵌合すると、押し上げられたベルトフック３ｂは、弾力でもとに戻り、ベルトフック係合部材１が所定の位置に取り付けられる。この状態を図１２（Ｄ），図１１（Ｄ）に示す。
【００４３】
なお、ベルトフック挿入孔を設けずに、ベルトフック挿入端１ｋによりベルトフック係合部材１を挿入するようにしたこの実施の形態では、被係止部１ｃの近傍を変形させる必要はないから、被係止部１ｃの周囲に弾性を持たせる必要はない。
【００４４】
図１３は、本発明の陳列用容器に用いられるベルトフック係合部材の第６の実施の形態を巻尺の陳列用容器を組み立てる手順の一例とともに説明するための斜視図、図１４は、断面図である。図中、図１，図２，図１１，図１２と同様な部分には同じ符号を付して説明を省略する。１ｍは切り溝である。
【００４５】
この実施の形態では、第５の実施の形態のベルトフック係合部材の蓋部１ｊ側に被係止部１ｃを設け、その基部に弾性を持たせるため、被係止部１ｃの３方に切り溝１ｍを形成して切り込みを入れた。被係止部１ｃは、図１で説明した被係止部と同様に、前側に傾斜部が設けられている。
【００４６】
図１３（Ａ）に示すように、透明部材２の凹部２ａに巻尺３を挿入する。次に、図１３（Ｂ）に示すように、台紙４を透明部材２の折り曲げ縁部２ｂに挟まれるように挿入する。挿入工程の途中において、ベルトフック３を台紙孔４ａから台紙４の裏面側に導出させ、図１３（Ｃ）に示すように、台紙４が取り付けられる。透明部材の吊り下げ孔２ｃと台紙４の吊り下げ孔４ｂは合致する。ここまでの組立工程は、図２で説明したと同様である。ベルトフック係合部材１が図１３（Ｃ）に示すように、挿入される。すなわち、図１４（Ａ）に示すように、ベルトフック挿入端１ｋをベルトフック３ｂの先端と台紙４との間に挿入するようにして、ベルトフック係合部材１の挿入部１ａを台紙４とベルトフック３ａとの間に押し込む。図１４（Ｂ）に示すように、被係止部１ｃがベルトフック３ａに突き当たり、さらに挿入を続けると、図１４（Ｃ）に示すように、被係止部１ｃがベルトフック３ａにより押し上げられる。ベルトフック係合部材１の被係止部１ｃに傾斜部が設けられていることにより、ベルトフック係合部材１の押し込みは容易である。被係止部１ｃがベルトフック３ａの孔３ｂに嵌合すると、押し上げられた被係止部１ｃは、弾力でもとに戻り、ベルトフック係合部材１が所定の位置に取り付けられる。この状態を図１４（Ｄ），図１３（Ｄ）に示す。
【００４７】
このようにして、いずれの実施の形態においても、ベルトフック係合部材１を取り付けたことにより、巻尺を台紙から外すことは困難となり、台紙から巻尺を抜き取ることによる盗難を防止できる。
【００４８】
購入したユーザは、ベルトフック係合部材１を壊すことにより、巻尺を台紙から外して、使用することができる。
【００４９】
【発明の効果】
以上の説明から明らかなように、本発明によれば、従来の包装形態にベルトフック係合部材を追加することにより、巻尺の抜き取りが簡単にできず、さらには、金属製のベルトフックが他の製品に当たらないようにして、傷つき防止用のパーツを用いることなく、他の製品に傷をつけることを防止できる効果がある。
【図面の簡単な説明】
【図１】本発明の陳列用容器に用いられるベルトフック係合部材の第１の実施の形態を説明するための図で、図１（Ａ）は斜視図、図１（Ｂ）は平面図、図１（Ｃ），図１（Ｄ）は図１（Ｂ）のＣ−Ｃ線断面図，Ｄ−Ｄ線断面図である。
【図２】第１の実施の形態のベルトフック係合部材を用いて巻尺の陳列用容器を組み立てる手順の一例の説明図である。
【図３】図２（Ｃ）におけるベルトフック係合部材１の挿入プロセスを説明するための断面図である。
【図４】第１の実施の形態のベルトフック係合部材を用いて巻尺の陳列用容器を組み立てる手順の他の一例の説明図である。
【図５】本発明の陳列用容器に用いられるベルトフック係合部材の第２の実施の形態を説明するための図で、図５（Ａ）は斜視図、図５（Ｂ）は平面図、図５（Ｃ），図５（Ｄ）はベルトフックとの関連を示す平面図である。
【図６】本発明の陳列用容器に用いられるベルトフック係合部材の第３の実施の形態を説明するための図で、図６（Ａ）は斜視図、図６（Ｂ）は縦断面である。
【図７】第３の実施の形態のベルトフック係合部材を用いて巻尺の陳列用容器を組み立てる手順の一例の説明図である。
【図８】本発明の陳列用容器に用いられるベルトフック係合部材の第４の実施の形態を説明するための斜視図である。
【図９】第４の実施の形態のベルトフック係合部材を用いて巻尺の陳列用容器を組み立てる手順の一例の説明するための斜視図である。
【図１０】第４の実施の形態のベルトフック係合部材を用いて巻尺の陳列用容器を組み立てる手順の一例の説明するための断面図である。
【図１１】本発明の陳列用容器に用いられるベルトフック係合部材の第５の実施の形態を巻尺の陳列用容器を組み立てる手順の一例とともに説明するための斜視図である。
【図１２】本発明の陳列用容器に用いられるベルトフック係合部材の第５の実施の形態を巻尺の陳列用容器を組み立てる手順の一例とともに説明するための断面図である。
【図１３】本発明の陳列用容器に用いられるベルトフック係合部材の第６の実施の形態を巻尺の陳列用容器を組み立てる手順の一例とともに説明するための斜視図である。
【図１４】本発明の陳列用容器に用いられるベルトフック係合部材の第６の実施の形態を巻尺の陳列用容器を組み立てる手順の一例とともに説明するための断面図である。
【符号の説明】
１…ベルトフック係合部材、１ａ…挿入部、１ｂ…ベルトフック挿入孔、１ｃ…被係止部、１ｄ…傾斜部、１ｅ…側壁部、１ｆ…Ｒ部、１ｇ…テーパー部、１ｈ…蓋部材、１ｉ…連結部、１ｊ…蓋部、１ｋ…ベルトフック挿入端、２…透明部材、２ａ…凹部、２ｂ…折り曲げ縁部、２ｃ…吊り下げ孔、３…巻尺、３ａ…ベルトフック、３ｂ…孔、４…台紙、４ａ…台紙孔、４ｂ…吊り下げ孔、５…固定ネジ。
【図１】
0004300304.tif 000002
【図２】
0004300304.tif 000003
【図３】
0004300304.tif 000004
【図４】
0004300304.tif 000005
【図５】
0004300304.tif 000006
【図６】
0004300304.tif 000007
【図７】
0004300304.tif 000008
【図８】
0004300304.tif 000009
【図９】
0004300304.tif 000010
【図１０】
0004300304.tif 000011
【図１１】
0004300304.tif 000012
【図１２】
0004300304.tif 000013
【図１３】
0004300304.tif 000014
【図１４】
0004300304.tif 000015